(57)【特許請求の範囲】
【請求項１】
コンテンツデータを送信する送信装置に接続可能であり、コンテンツデータを受信する受信装置であって、
前記送信装置と無線通信経由で接続する無線通信部と、
前記送信装置と有線通信経由で接続する有線通信部と、
無線通信経由で前記送信装置と接続している場合に、有線通信経由で前記送信装置が接続されたとき、無線通信経由で使用される前記送信装置の識別情報を前記送信装置から有線通信経由で取得する識別情報取得手段と、
無線通信経由で接続している前記送信装置の識別情報と、前記識別情報取得手段によって取得された識別情報とが同一であるか否かを判断する識別情報判断手段と、
前記識別情報判断手段によって同一であると判断された場合、前記送信装置に、コンテンツデータの出力を無線通信経由から有線通信経由に切換える指示を送信し、かつ、前記受信装置のコンテンツデータの入力を無線通信経由から有線通信経由に切換える切換制御手段と、
無線通信経由で接続する１又は複数の前記送信装置の識別情報を管理する識別情報管理手段と、
前記送信装置と無線通信経由での接続を維持していない状態で、有線通信経由での前記送信装置との接続が解除されたとき、有線通信経由での接続が解除された前記送信装置の識別情報と同一の識別情報を、前記識別情報管理手段によって管理されている識別情報の中から特定する識別情報特定手段と、
前記識別情報特定手段によって特定された識別情報の前記送信装置と、無線通信経由で自動的に接続させる接続制御手段と、
前記送信装置と無線通信経由での接続を維持していない状態で、有線通信経由での前記送信装置との接続が解除されたとき、有線通信経由での接続が解除された前記送信装置の再生状態を記憶する再生状態記憶手段と、
前記接続制御手段によって、特定された前記送信装置と無線通信経由で自動的に接続された後、前記送信装置に前記再生状態記憶手段によって記憶されている再生状態を送信し、前記送信装置を当該再生状態に復帰させる再生状態送信手段と、を備え、
前記送信装置と無線通信経由での接続を維持している状態で、有線通信経由での前記送信装置との接続が解除されたとき、前記切換制御手段が、前記送信装置に、コンテンツデータの出力を有線通信経由から無線通信経由に切換える指示を送信し、かつ、前記受信装置のコンテンツデータの入力を有線通信経由から無線通信経由に切換える、受信装置。
【請求項２】
請求項１に記載の受信装置の各手段をコンピュータに実行させる、受信装置の動作プログラム。
【発明の詳細な説明】
【技術分野】
【０００１】
本発明は、送信装置に有線接続および無線接続可能な受信装置に関する。
【背景技術】
【０００２】
音楽ファイルを記録可能なフラッシュメモリ等の記憶媒体を有する送信装置と、アンプ装置およびスピーカーを有する受信装置とを備えるコンテンツ送受信システムが利用されている。送信装置は、音楽ファイルを再生し、音楽データを例えばＢｌｕｅｔｏｏｔｈ等の無線通信を使用して受信装置に送信する。あるいは、送信装置は、音楽ファイルを再生し、音楽データを例えばＵＳＢ等の有線通信を使用して受信装置に送信する。受信装置は、音楽データを受信して、増幅し、スピーカーから音声を出力する。
【０００３】
受信装置と無線通信を実行している送信装置を受信装置に有線接続し、有線通信を使用して音楽データを送信させるためには、ユーザ操作によって、送信装置の出力セレクタを無線通信から有線通信に切換え、かつ、受信装置の入力セレクタを無線通信から有線通信に切換える必要がある。同様に、受信装置と有線通信を実行している送信装置を受信装置に無線接続し、無線通信を使用して音楽データを送信させるためには、ユーザ操作によって、送信装置の出力セレクタを有線通信から無線通信に切換え、かつ、受信装置の入力セレクタを有線通信から無線通信に切換える必要がある。
【先行技術文献】
【特許文献】
【０００４】
【特許文献１】特開２００２−３１２１５５号公報
【発明の概要】
【発明が解決しようとする課題】
【０００５】
本発明は上記従来の課題を解決するためになされたものであり、その目的は、ユーザ操作を要することなく送信装置との接続を有線接続と無線接続との間で切換え可能な受信装置を提供することである。
【課題を解決するための手段】
【０００６】
本発明の好ましい実施形態による受信装置は、コンテンツデータを送信する送信装置に接続可能であり、コンテンツデータを受信する受信装置であって、前記送信装置と無線通信経由で接続する無線通信部と、前記送信装置と有線通信経由で接続する有線通信部と、無線通信経由で前記送信装置と接続している場合に、有線通信経由で前記送信装置が接続されたとき、無線通信経由で使用される前記送信装置の識別情報を前記送信装置から有線通信経由で取得する識別情報取得手段と、無線通信経由で接続している前記送信装置の識別情報と、前記識別情報取得手段によって取得された識別情報とが同一であるか否かを判断する識別情報判断手段と、前記識別情報判断手段によって同一であると判断された場合、前記送信装置に、コンテンツデータの出力を無線通信経由から有線通信経由に切換える指示を送信し、かつ、前記受信装置のコンテンツデータの入力を無線通信経由から有線通信経由に切換える切換制御手段とを備える。
【０００７】
受信装置は、無線通信経由で送信装置と接続されている状態で、有線通信経由で送信装置が接続された場合に、有線通信経由で送信装置から識別情報を取得する。受信装置は、有線通信経由で取得した識別情報が、現在無線通信経由で接続されている送信装置の識別情報と同一であるかを判断する。同一である場合には、有線通信経由で接続された送信装置は、現在無線通信経由で接続されている送信装置と同一であると判断される。この場合に、受信装置は、送信装置に対して、コンテンツデータの出力を無線通信経由から有線通信経由に切換える指示を送信する。これを受信した送信装置は、コンテンツデータの出力を無線通信経由から有線通信経由に切換える。また、受信装置は、受信装置のコンテンツデータの入力を無線通信経由から有線通信経由に切換える。従って、ユーザ操作を要することなく、送信装置を受信装置に有線通信経由で接続するだけで、自動的に、送信装置及び受信装置の双方のコンテンツ経路を無線通信経由から有線通信経由に切換えることができる。
【０００８】
好ましい実施形態においては、前記送信装置と無線通信経由での接続を維持している状態で、有線通信経由での前記送信装置との接続が解除されたとき、前記切換制御手段が、前記送信装置に、コンテンツデータの出力を有線通信経由から無線通信経由に切換える指示を送信し、かつ、前記受信装置のコンテンツデータの入力を有線通信経由から無線通信経由に切換える。
【０００９】
受信装置は、有線通信経由で送信装置と接続している場合にも、同送信装置との間で無線通信経由での接続を維持することができる。この場合に、有線通信経由での送信装置との接続が解除された場合、受信装置は、送信装置に対して、コンテンツデータの出力を有線通信経由から無線通信経由に切換える指示を送信する。これを受信した送信装置は、コンテンツデータの出力を有線通信経由から無線通信経由に切換える。また、受信装置は、受信装置のコンテンツデータの入力を有線通信経由から無線通信経由に切換える。従って、ユーザ操作を要することなく、送信装置と受信装置との有線接続を解除するだけで、自動的に、送信装置及び受信装置の双方のコンテンツ経路を有線通信経由から無線通信経由に切換えることができる。
【００１０】
好ましい実施形態においては、無線通信経由で接続する１又は複数の前記送信装置の識別情報を管理する識別情報管理手段と、前記送信装置と無線通信経由での接続を維持していない状態で、有線通信経由での前記送信装置との接続が解除されたとき、有線通信経由での接続が解除された前記送信装置の識別情報と同一の識別情報を、前記識別情報管理手段によって管理されている識別情報の中から特定する識別情報特定手段と、前記識別情報特定手段によって特定された識別情報の前記送信装置と、無線通信経由で自動的に接続させる接続制御手段とをさらに備える。
【００１１】
受信装置は、送信装置と無線通信経由での接続を維持していない状態で、有線通信経由での送信装置との接続が解除された場合、有線通信経由での接続を解除された送信装置を自動的に特定し、特定した送信装置と無線通信経由で自動的に接続することができる。
【００１２】
好ましい実施形態においては、前記送信装置と無線通信経由での接続を維持していない状態で、有線通信経由での前記送信装置との接続が解除されたとき、有線通信経由での接続が解除された前記送信装置の再生状態を記憶する再生状態記憶手段と、前記接続制御手段によって、特定された前記送信装置と無線通信経由で自動的に接続された後、前記送信装置に前記再生状態記憶手段によって記憶されている再生状態を送信し、前記送信装置を当該再生状態に復帰させる再生状態送信手段とをさらに備える。
【００１３】
受信装置は、送信装置と無線通信経由での接続を維持していない状態で、有線通信経由での送信装置との接続が解除された場合、有線通信経由での接続を解除された送信装置の再生状態を記憶しておき、自動的に無線通信経由で送信装置と接続した際に、記憶しておいた再生状態を送信装置に送信する。例えば、有線通信経由での接続が解除されたときに送信装置がコンテンツを再生していた場合には、無線通信経由で自動的に接続したときに再度コンテンツの再生を開始させることが出来る。
【発明の効果】
【００１４】
ユーザ操作を要することなく送信装置との接続を有線接続と無線接続との間で切換え可能な受信装置を提供することができる。
【図面の簡単な説明】
【００１５】
【図１】本発明の好ましい実施形態による受信装置１００と送信装置２００とを示すブロック図である。
【図２】接続履歴テーブルを示す図である。
【図３】受信装置１００と送信装置２００とのペアリング処理を示すフローチャートである。
【図４】受信装置１００のＣＰＵ１の処理を示すフローチャートである。
【図５】受信装置１００のＣＰＵ１の処理を示すフローチャートである。
【図６】受信装置１００のＣＰＵ１の処理を示すフローチャートである。
【発明を実施するための形態】
【００１６】
以下、本発明の好ましい実施形態について、図面を参照して具体的に説明するが、本発明はこれらの実施形態には限定されない。
【００１７】
図１は、本発明の好ましい実施形態によるコンテンツ再生システムを示す概略ブロック図である。コンテンツ再生システムは、コンテンツ受信装置（以下、受信装置という。）１００と、コンテンツ送信装置（以下、送信装置という。）２００とを備える。受信装置１００は、例えば各部屋に設置された据置型のオーディオ装置である。送信装置２００は、各個人が所持、携帯する音楽プレーヤ、スマートフォン、携帯電話機、携帯ゲーム機等である。コンテンツは、音楽ファイル（音楽データ）、音声ファイル（音声データ）、映像ファイル（映像データ）、静止画ファイル（静止画データ）等の総称であるが、本実施形態においては音楽ファイル（音楽データ）である。
【００１８】
受信装置１００と送信装置２００とは、例えば、Ｂｌｕｅｔｏｏｔｈ等の任意の規格の無線通信によって相互に接続可能である。また、受信装置１００と送信装置２００とは、例えば、ＵＳＢ等の任意の規格の有線通信によって相互に接続可能である。送信装置２００は、自身が記録している音楽フィルを再生し、再生した音楽データを無線通信経由又は有線通信経由で、受信装置１００に送信する。受信装置１００は、送信装置２００から送信された音楽データを受信し、増幅して、スピーカーから音声を出力する。
【００１９】
受信装置１００は、ＣＰＵ１と、ＲＡＭやフラッシュメモリ等の書換可能メモリ２と、ＲＯＭ３と、無線通信部４と、有線通信部５と、再生部６と、スピーカー７とを概略備える。ＣＰＵ１は、ＲＯＭ３に格納されている受信装置１００の動作プログラムに基づいて受信装置１００の各部を制御する。
【００２０】
無線通信部４は、送信装置２００の無線通信部１８と無線接続して通信し、各種の制御コマンドや、音楽データ等を送信装置２００との間で送受信する。無線通信部４は、例えばＢｌｕｅｔｏｏｔｈ等の無線送受信機である。
【００２１】
有線通信部５は、送信装置２００の有線通信部１９と有線接続して通信し、各種の制御コマンドや、音楽データ等を送信装置２００との間で送受信する。有線通信部５は、例えばＵＳＢインターフェース（ＵＳＢコネクタ）およびＵＳＢホストコントローラ等である。
【００２２】
再生部６は、無線通信部４または有線通信部５が送信装置２００から受信した音楽データを再生（例えば、デコード、Ｄ／Ａ変換、音量調整、増幅等）し、スピーカー７から音声を出力する。
【００２３】
ＣＰＵ１は、１又は複数の送信装置２００の識別情報を管理する。詳細には、書換可能メモリ２には図２に示す接続履歴テーブルが格納されている。接続履歴テーブルは、受信装置１００と送信装置２００との無線通信による接続履歴を管理するテーブルである。接続履歴テーブルには所定数（本例では８つ）の項目が存在し、各項目には送信装置２００の識別情報を登録可能である。識別情報は受信装置１００と送信装置２００とがペアリングした際に相互に交換しあい登録される情報であり、例えば、送信装置２００のアドレスと暗号鍵との組合せである。あるいは、識別情報は単なる識別番号であってよい。なお、図２では、送信装置の識別情報を単に「送信装置Ａ」等と略して記述する。
【００２４】
ＣＰＵ１は、無線通信経由で送信装置２００と接続している場合に、有線通信経由で送信装置２００が接続されたとき、無線通信経由で使用される送信装置２００の識別情報を送信装置２００から有線通信経由で取得する。ＣＰＵ１は、無線通信経由で接続している送信装置２００の識別情報と、有線通信経由で取得された識別情報とが同一であるか否かを判断し、同一であると判断された場合、送信装置２００に、音楽データの出力を無線通信経由から有線通信経由に切換える指示を送信し、かつ、受信装置１００の音楽データの入力を無線通信経由から有線通信経由に切換える。
【００２５】
また、ＣＰＵ１は、送信装置２００と無線通信経由での接続を維持している状態で、有線通信経由での送信装置２００との接続が解除されたとき、送信装置２００に、音楽データの出力を有線通信経由から無線通信経由に切換える指示を送信し、かつ、受信装置１００の音楽データの入力を有線通信経由から無線通信経由に切換える。
【００２６】
また、ＣＰＵ１は、送信装置２００と無線通信経由での接続を維持していない状態で、有線通信経由での送信装置２００との接続が解除されたとき、有線通信経由での接続が解除された送信装置２００の識別情報と同一の識別情報を、接続履歴テーブルの識別情報の中から特定し、特定された識別情報の送信装置２００と無線通信経由で自動的に接続させる。
【００２７】
また、ＣＰＵ１は、送信装置２００と無線通信経由での接続を維持していない状態で、有線通信経由での送信装置２００との接続が解除されたとき、有線通信経由での接続が解除された送信装置２００の再生状態を記憶し、特定された送信装置２００と無線通信経由で自動的に接続された後、送信装置２００に記憶されている再生状態を送信し、送信装置２００を当該再生状態に復帰させる。
【００２８】
送信装置２００は、ＣＰＵ１１と、ＲＡＭ１２と、ＲＯＭ１３と、フラッシュメモリ等のコンテンツ記憶部１４と、再生部１５と、表示部１６と、操作部１７と、無線通信部１８と、有線通信部１９とを概略備える。ＣＰＵ１１は、ＲＯＭ１３に格納されている送信装置２００の動作プログラムに基づいて送信装置２００の各部を制御する。また、ＲＯＭ１３には再生アプリケーションプログラムがインストール又は記録されている。ＣＰＵ１１は、再生アプリケーションプログラムをＲＡＭ１２に読み出して実行する。
【００２９】
フラッシュメモリ１４には複数の音楽ファイルが記録されている。再生部１５は、再生アプリケーションプログラムに従って、フラッシュメモリ１４に記録されている音楽ファイルを再生し、無線通信部１８または有線通信部１９を介して受信装置１００に音楽データを送信する。表示部１６は、再生中の音楽ファイルのコンテンツ情報（曲名、アーティスト名等）を表示する。操作部１７は、ユーザ操作に基づく指示が入力されるものであり、送信装置２００の筐体に設けられた操作ボタンやタッチパネル等である。無線通信部１８は、受信装置１００の無線通信部４と通信し、各種の制御コマンドや、音楽データ等を受信装置１００との間で送受信する。無線通信部１８は、例えばＢｌｕｅｔｏｏｔｈ等の無線送受信機である。有線通信部１９は、受信装置１００の有線通信部５と通信し、各種の制御コマンドや、音楽データ等を受信装置１００との間で送受信する。有線通信部１９は、例えばＵＳＢインターフェース（ＵＳＢコネクタ）およびＵＳＢホストコントローラである。
【００３０】
以下、本実施形態の動作を説明する。図３は、受信装置１００と送信装置２００とのＢｌｕｅｔｏｏｔｈのペアリング処理を示すフローチャートである。受信装置１００と送信装置２００とは、周知の方法によって、無線を介して相互に接続し、ペアリング情報（識別情報）を相互に交換して登録することによって、ペアリング処理を実行する（Ｓ１０１、Ｓ２０１）。受信装置１００のＣＰＵ１は、新たにペアリング処理を実行した送信装置２００のペアリング情報（識別情報）を接続履歴テーブルに登録する。
【００３１】
図４は、送信装置２００が受信装置１００に有線接続される際の、受信装置１００のＣＰＵ１の処理を示すフローチャートである。ＣＰＵ１は、有線通信経由で、送信装置２００が受信装置１００に接続されたか否かを判断している（Ｓ１）。接続された場合（Ｓ１でＹＥＳ）、ＣＰＵ１は、有線通信経由で、送信装置２００のＣＰＵ１１から送信装置２００の識別情報を要求して取得する（Ｓ２）。ここで、送信装置２００から取得された識別情報は、有線通信（ＵＳＢ）で使用されるものではなく、無線通信で使用される識別情報である。
【００３２】
ＣＰＵ１は、現在、受信端末１００が、無線通信経由で、送信装置２００と接続しているか否かを判断する（Ｓ３）。接続していなければ（Ｓ３でＮＯ）、処理を終了する。接続していれば（Ｓ３でＹＥＳ）、ＣＰＵ１は、現在受信端末１００が無線通信経由で接続している送信装置２００の識別情報を特定する（Ｓ４）。詳細には、現在無線通信を経由して接続している送信装置２００の識別情報はＲＡＭ２内で記憶されているので、ＲＡＭ２から送信装置２００の識別情報を読み出して特定する。
【００３３】
ＣＰＵ１は、有線通信経由で送信装置２００から取得した識別情報と、現在無線通信経由で接続している送信装置２００の識別情報とを比較し（Ｓ５）、同一であるか否かを判断する（Ｓ６）。すなわち、有線通信経由で接続された送信装置２００と、現在無線通信経由で接続されている送信装置２００とが同一の送信装置２００であるか否かが判断される。同一でなければ（Ｓ６でＮＯ）、有線通信経由で接続された送信装置２００と、現在無線通信経由で接続されている送信装置２００とが異なると判断されるので、処理を終了する。
【００３４】
同一であれば（Ｓ６でＹＥＳ）、有線通信経由で接続された送信装置２００と、現在無線通信経由で接続されている送信装置２００とが同一であると判断されるので、ＣＰＵ１は、無線通信経由で送信装置２００に対して音楽データの出力セレクタを、無線通信経由から有線通信経由に切換えるように指示を送信する（Ｓ７）。無線通信経由でこの指示を受信した送信装置２００は、音楽データの出力セレクタを、無線通信経由から有線通信経由に切換える。
【００３５】
ＣＰＵ１は、受信装置１００の音声データの入力セレクタを、無線通信経由から有線通信経由に切換える（Ｓ８）。その結果、ユーザ操作によって、受信装置１００および送信装置２００の双方のセレクタを無線通信経由から有線通信経由に切換える操作を要することなく、単に送信装置２００を受信装置１００に有線通信経由で接続させるだけで、自動的に受信装置１００および送信装置２００の双方のセレクタを無線通信経由から有線通信経由に切換えることができる。
【００３６】
なお、上記の通り、有線通信経由で接続された送信装置２００と、現在無線通信経由で接続されている送信装置２００とが異なると判断された場合には、受信装置１００および送信装置２００の双方のセレクタを無線通信経由から有線通信経由に切換えない。従って、受信装置１００が、有線通信経由で接続された送信装置２００以外の他の送信装置２００から音楽データを受信して再生している途中で、再生する音楽データが別の音楽データに切り替ってしまうことを防止することが出来る。
【００３７】
なお、自動的に受信装置１００および送信装置２００の双方のセレクタを無線通信経由から有線通信経由に切換えた場合でも、送信装置２００と受信装置１００との間の無線接続は維持しておくことが好ましい。これは、のちに送信装置２００と受信装置１００との有線接続を解除した際に、直ちに無線通信を使用して音楽データの送信を再開できるからである。
【００３８】
図５は、送信装置２００との有線接続が解除される際の、受信装置１００のＣＰＵ１の処理を示すフローチャートである。この処理では、上記の通り、受信装置１００および送信装置２００の双方のセレクタを無線通信経由から有線通信経由に切換えた場合でも、送信装置２００と受信装置１００との間の無線接続は維持していることを前提としている。
【００３９】
ＣＰＵ１は、有線通信経由での送信装置２００との接続が解除されたか否かを判断する（Ｓ１１）。有線通信による接続が解除された場合（Ｓ１１でＹＥＳ）、ＣＰＵ１は、無線通信経由で送信装置２００に対して音楽データの出力セレクタを、有線通信経由から無線通信経由に切換えるように指示を送信する（Ｓ１２）。無線通信経由でこの指示を受信した送信装置２００は、音楽データの出力セレクタを、有線通信経由から無線通信経由に切換える。
【００４０】
ＣＰＵ１は、受信装置１００の音声データの入力セレクタを、有線通信経由から無線通信経由に切換える（Ｓ１３）。その結果、ユーザ操作によって、受信装置１００および送信装置２００の双方のセレクタを有線通信経由から無線通信経由に切換える操作を要することなく、単に、有線通信経由での送信装置２００の受信装置１００への接続を解除するだけで、自動的に受信装置１００および送信装置２００の双方のセレクタを有線通信経由から無線通信経由に切換えることができる。
【００４１】
図６は、送信装置２００との有線接続が解除される際の、受信装置１００のＣＰＵ１の他の処理を示すフローチャートである。ＣＰＵ１は、有線通信経由での送信装置２００との接続が解除されたか否かを判断する（Ｓ２１）。有線通信による接続が解除された場合（Ｓ２１でＹＥＳ）、ＣＰＵ１は、現在、無線通信経由で、送信装置２００と接続しているか否かを判断する（Ｓ２２）。
【００４２】
無線通信経由で接続している場合（Ｓ２２でＹＥＳ）、ＣＰＵ１は、無線通信経由で、送信装置２００に対して音楽データの出力セレクタを有線通信経由から無線通信経由に切換えるように指示を送信する（Ｓ２３）。無線通信経由でこの指示を受信した送信装置２００は、音楽データの出力セレクタを、有線通信経由から無線通信経由に切換える。
【００４３】
ＣＰＵ１は、受信装置１００の音声データの入力セレクタを、有線通信経由から無線通信経由に切換える（Ｓ２４）。その結果、ユーザ操作によって、受信装置１００および送信装置２００の双方のセレクタを有線通信経由から無線通信経由に切換える操作を要することなく、単に、有線通信経由での送信装置２００の受信装置１００への接続を解除するだけで、自動的に受信装置１００および送信装置２００の双方のセレクタを有線通信経由から無線通信経由に切換えることができる。
【００４４】
Ｓ２２において、無線通信経由で接続していないと判断された場合（Ｓ２２でＮＯ）、ＣＰＵ１は、有線通信経由での接続を解除したときの送信装置２００の再生状態をＲＡＭ２に記憶する（Ｓ２５）。再生状態とは、音楽ファイルの再生に関する状態を意味し、例えば、再生中又は停止中等である。または、再生状態は、再生しているコンテンツの情報（曲名、アーティスト名等のメタデータや、再生位置情報）を含んでいてもよい。
【００４５】
続いて、ＣＰＵ１は、有線通信経由で接続を解除した送信装置２００の識別情報をＲＡＭ２から読み出して（この識別情報は例えば図４のＳ２でＲＡＭ２に記憶した識別情報である。）、図２の接続履歴テーブルに同一の識別情報が存在するかを確認する（Ｓ２６、Ｓ２７）。すなわち、有線通信による接続を解除した送信装置２００が、過去に無線通信経由で受信装置１００に接続されたことがあるか否かが判断される。接続履歴テーブルに存在しなければ（Ｓ２７でＮＯ）、処理を終了する。
【００４６】
接続履歴テーブルに存在する場合（Ｓ２７でＹＥＳ）、有線通信経由で接続を解除した送信装置２００の識別情報を接続履歴テーブルから選択し、無線通信経由でその識別情報で特定される送信装置２００と自動的に接続する（Ｓ２８）。詳細には、ＣＰＵ１は、特定された送信装置２００を自動的に探索する。すなわち、特定された送信装置２００の識別情報を接続履歴テーブルから読み出して、ポーリング処理を実行する。ＣＰＵ１は、特定された送信装置２００からポーリングに対する応答を受信したか否かを判断する。特定された送信装置２００から応答を受信したとき、ＣＰＵ１は、特定された送信装置２００と自動的に無線接続する。
【００４７】
続いて、ＣＰＵ１は、有線通信経由での接続を解除したときに記憶しておいた送信装置２００の再生状態をＲＡＭ２から読み出して、無線通信経由で、送信装置２００に送信する（Ｓ２９）。これを受信した送信装置２００は、再生状態を変更する。例えば、再生状態として「再生」が送信された場合、送信装置２００は、自動的に音楽ファイルの再生を開始する。その後、処理は、Ｓ２３へと進み、送信装置２００および受信装置１００の双方のセレクタを有線通信経由から無線通信経由に切換える。
【００４８】
以上のように、図６の処理によると、有線通信経由での接続を解除する際に、送信装置２００と受信装置１００とが無線通信経由で接続されていない場合でも、自動的に、有線通信経由での接続を解除した送信装置２００を特定し、無線通信経由での接続を実行することができる。
【００４９】
以上、本発明の好ましい実施形態を説明したが、本発明はこれらの実施形態には限定されない。無線通信の規格は、Ｂｌｕｅｔｏｏｔｈに限定されず、無線ＬＡＮやＷｉｆｉ等でもよい。有線通信の規格は、ＵＳＢに限定されずＨＤＭＩ、ＩＥＥＥ１３９４等でもよい。本発明の受信装置１００、送信装置２００を動作させるためのコンピュータプログラムまたはそのコンピュータプログラムを記録した記録媒体という形態で提供されてもよい。
【産業上の利用可能性】
【００５０】
本発明は例えば据置型オーディオ機器と携帯型音楽プレーヤとに好適に適用され得る。
【符号の説明】
【００５１】
１００      受信装置
１          ＣＰＵ
２          ＲＡＭ
３          ＲＯＭ
４          無線通信部
５          有線通信部
６          再生部
７          スピーカー
２００      送信装置
１１        ＣＰＵ
１２        ＲＡＭ
１３        ＲＯＭ
１４        フラッシュメモリ
１５        再生部
１６        表示部
１７        操作部
１８        無線通信部
１９        有線通信部
【図１】
0005418567.tif 000002
【図２】
0005418567.tif 000003
【図３】
0005418567.tif 000004
【図４】
0005418567.tif 000005
【図５】
0005418567.tif 000006
【図６】
0005418567.tif 000007